(57)【要約】【課題】排気タービン発電機（排気ＡＰＵ）として用いられる電動アシスト過給機及びオルタネータの二つの発電装置を用いる場合において、燃費（ＳＦＣ）の向上を図ることができる車両用エンジンを提供し、このような車両用エンジンに用いて好適な排気タービン発電機（排気ＡＰＵ）を提供する。【解決手段】排気タービン発電機と、オルタネータ６と、軸出力からオルタネータ６への動力伝達を切断するクラッチと、クラッチを制御する制御手段４とを備え、排気タービン発電機の発電電圧が、オルタネータ６の発電電圧よりも高くなっており、制御手段４は、排気タービン発電機により供給される電力により負荷９の消費電力が賄える場合には、クラッチを切り離して、軸出力からオルタネータ６への動力伝達を切断する。【選択図】図１
2012219710.tif 000002
【特許請求の範囲】
【請求項１】
排気マニホルドから排気された空気により回転されるタービン及びこのタービンの回転力により発電する発電機からなる排気タービン発電機と、
軸出力により回転されて発電するオルタネータと、
前記軸出力から前記オルタネータへの動力伝達を切断するクラッチと、
前記クラッチを制御する制御手段と
を備え、
前記排気タービン発電機の発電電圧は、前記オルタネータの発電電圧よりも高くなっており、
前記制御手段は、前記排気タービン発電機により供給される電力により、負荷の消費電力が賄える場合には、前記クラッチを切り離して、前記軸出力から前記オルタネータへの動力伝達を切断する
ことを特徴とする車両用エンジン。
【請求項２】
前記排気タービン発電機は、前記タービンに同軸に接続され吸気マニホルドから吸気された空気を圧縮する電動コンプレッサを有しており、前記発電機が電源を供給されてモータとして作用して前記電動コンプレッサに回転力を与えることにより、電動アシスト過給機として動作する
ことを特徴とする請求項１記載の車両用エンジン。
【請求項３】
車両用エンジンに使用される排気タービン発電機であって、
排気マニホルドから排気された空気により回転されるタービン及びこのタービンの回転力により発電する発電機からなり、
発電電圧が、前記車両用エンジンのオルタネータの発電電圧よりも高くなっている
ことを特徴とする排気タービン発電機。
【請求項４】
前記タービンに同軸に接続され、車両用エンジンの吸気マニホルドから吸気された空気を圧縮する電動コンプレッサを有しており、前記発電機が電源を供給されてモータとして作用して前記電動コンプレッサに回転力を与えることにより、電動アシスト過給機として動作する
ことを特徴とする請求項３記載の排気タービン発電機。
【発明の詳細な説明】
【技術分野】
【０００１】
本発明は、電動アシスト過給機を備えた車両用エンジン、及び、車両用エンジンにおいて自動車用ＡＰＵ（Auxiliary Power Unit；補助電源装置）として用いて好適な排気タービン発電機に関する。
【背景技術】
【０００２】
従来、自動車用エンジン等の車両用エンジンにおいて、排気ガスに含まれたエネルギを利用して過給を行うターボ形過給機が用いられている。この過給機は、排気マニホルド及び吸気マニホルドの上にそれぞれ配置され、軸によって互いに固定的に接続された二つのブレード羽根車（タービン及びコンプレッサ）と、これらブレード羽根車を囲んで配置された二つの渦巻き（volute）とを有して構成されている。
【０００３】
第一の羽根車(タービン)は、排気ガスから回転力を得て、この回転力を第二の羽根車(コンプレッサ)に伝える。第二の羽根車(コンプレッサ)は、吸気マニホルド中の空気を圧縮する。
【０００４】
このような過給機においては、タービンの回転力をモータ（電動機）によりアシストするようにした電動コンプレッサを備えた電動アシスト過給機（「Ｅlectrically Ａssisted Ｔurbocharger」、以下、ＥＡＴという。）が提案されている。
【０００５】
そして、このような電動アシスト過給機を備えた車両用エンジンにおいては、ＥＡＴを排気タービン発電機（以下、排気ＡＰＵという。）として用いて、電源供給源として、オルタネータ及び排気ＡＰＵを併用し、これら二つの発電装置を用いるものが提案されている。このような車両用エンジンにおいては、特許文献１には、二つの発電装置の「発電効率」を比較し、効率の良い方の発電装置で主に発電させるという制御方法が提案されている。
【先行技術文献】
【特許文献】
【０００６】
【特許文献１】特開２００７−３２７４０１号公報
【発明の概要】
【発明が解決しようとする課題】
【０００７】
ところで、オルタネータはエンジンの軸出力を用いた発電装置であり、排気ＡＰＵは排気エネルギーを再利用する発電装置である。すなわち、オルタネータにおいては、発電量が増えるほどエンジンの正味出力は減少し、燃費（ＳＦＣ；Specific Fuel Consumption）の悪化に繋がる。それに対し、排気ＡＰＵにおいては、捨てられていた排気エネルギーを再利用するので、発電量が増えても、ＳＦＣの低下は、エンジンの排気圧力損失の増加によるものにとどまる。
【０００８】
このことから、「ＳＦＣの悪化」という尺度で比較した場合には、オルタネータの方が悪化の度合いが大きく、悪化が最も少ない場合でも、排気ＡＰＵにおける悪化と同程度となる。なお、このことは、文献「Design & Development of e-TurboTM for SUV and Light Truck Applications」（第１７頁）に示されている。
【０００９】
したがって、「発電効率の優劣を比較して、効率の良いほうの発電装置によって発電を行う」という制御を行った場合には、ＳＦＣの向上には繋がらないことになる。
【００１０】
そこで、本発明は、前述した実情に鑑みて提案されるものであって、排気タービン発電機（排気ＡＰＵ）として用いられる電動アシスト過給機及びオルタネータの二つの発電装置を用いる場合において、燃費（ＳＦＣ）の向上を図ることができる車両用エンジンを提供し、また、このような車両用エンジンに用いて好適な排気タービン発電機（排気ＡＰＵ）を提供することを目的とする。
【課題を解決するための手段】
【００１１】
前述の課題を解決し、前記目的を達成するため、本発明は、以下の構成を有するものである。
【００１２】
〔構成１〕
本発明に係る車両用エンジンは、排気マニホルドから排気された空気により回転されるタービン及びこのタービンの回転力により発電する発電機からなる排気タービン発電機と、軸出力により回転されて発電するオルタネータと、軸出力からオルタネータへの動力伝達を切断するクラッチと、クラッチを制御する制御手段とを備え、排気タービン発電機の発電電圧は、オルタネータの発電電圧よりも高くなっており、制御手段は、排気タービン発電機により供給される電力により負荷の消費電力が賄える場合には、クラッチを切り離して、軸出力からオルタネータへの動力伝達を切断することを特徴とするものである。
【００１３】
〔構成２〕
構成１を有する車両用エンジンにおいて、排気タービン発電機は、タービンに同軸に接続され吸気マニホルドから吸気された空気を圧縮する電動コンプレッサを有しており、発電機が電源を供給されてモータとして作用して電動コンプレッサに回転力を与えることにより、電動アシスト過給機として動作することを特徴とするものである。
【００１４】
〔構成３〕
本発明に係る排気タービン発電機は、車両用エンジンに使用される排気タービン発電機であって、排気マニホルドから排気された空気により回転されるタービン及びこのタービンの回転力により発電する発電機からなり、発電電圧が、車両用エンジンのオルタネータの発電電圧よりも高くなっていることを特徴とするものである。
【００１５】
〔構成４〕
構成３を有する排気タービン発電機において、タービンに同軸に接続され、車両用エンジンの吸気マニホルドから吸気された空気を圧縮する電動コンプレッサを有しており、発電機が電源を供給されてモータとして作用して電動コンプレッサに回転力を与えることにより、電動アシスト過給機として動作することを特徴とするものである。
【発明の効果】
【００１６】
本発明に係る車両用エンジンにおいては、排気タービン発電機（排気ＡＰＵ）が常に作動している状態となり、排気タービン発電機の電力容量が不足する場合には、オルタネータが発電を行う。このことにより、燃費（ＳＦＤ）の改善が可能となる。
【００１７】
また、この車両用エンジンにおいては、オルタネータが発電を行わない場合には、クラッチを切り離し、軸出力からオルタネータへの動力伝達を切断することにより、オルタネータの空転に用いられるエネルギーも削減し、さらに燃費（ＳＦＤ）の改善が可能となる。
【００１８】
なお、排気タービン発電機により大量の排気エネルギー（例えば、２ｋＷ程度）を回収した場合には、オルタネータによる発電よりも、燃費（ＳＦＤ）が悪化する虞があるが、そのような大容量の排気タービン発電機を用いる場合には、燃費の悪化の大小を比較して
排気タービン発電機とオルタネータとのいずれを用いるかを選択すればよい。
【００１９】
すなわち、本発明は、排気タービン発電機（排気ＡＰＵ）として用いられる電動アシスト過給機及びオルタネータの二つの発電装置を用いる場合において、燃費（ＳＦＣ）の向上を図ることができる車両用エンジンを提供し、また、このような車両用エンジンに用いて好適な排気タービン発電機（排気ＡＰＵ）を提供することができるものである。
【図面の簡単な説明】
【００２０】
【図１】本発明に係る車両用エンジンの要部の構成を示すブロック図である。
【図２】本発明に係る車両用エンジンの制御回路の構成を示すブロック図である。
【図３】力行時に用いるマップテーブルを示すグラフである。
【図４】本発明が適用される過給機の構成の他の例を示すブロック図である。
【図５】本発明が適用される過給機の構成のさらに他の例を示すブロック図である。
【発明を実施するための形態】
【００２１】
以下、本発明の実施の形態を図面に基づいて説明する。
【００２２】
図１は、本発明に係る車両用エンジンの要部の構成を示すブロック図である。
【００２３】
本発明に係る車両用エンジンは、排気ガスに含まれたエネルギを利用して過給を行う電動アシスト過給機を備えている。この電動アシスト過給機は、本発明に係る排気タービン発電機（排気ＡＰＵ）となる。この電動アシスト過給機は、図１に示すように、吸気マニホルド及び排気マニホルドの上にそれぞれ配置され、軸によって互いに固定的に接続された二つのブレード羽根車（電動コンプレッサ１及びタービン２）と、これらブレード羽根車を囲んで配置された二つの渦巻き（volute）とを有して構成されている。タービン２は、排気ガスから回転力を得て、この回転力を電動コンプレッサ１に伝える。電動コンプレッサ１は、吸気マニホルド中の空気を圧縮する。
【００２４】
この電動アシスト過給機においては、電動コンプレッサ１の回転力をモータ（電動機）３によりアシストする。この電動アシスト過給機においては、モータ３は、制御手段となるモータドライバ４により、電源供給を制御されて、動作を制御される。
【００２５】
なお、モータ３には、温度センサが設置されており、この温度センサにより測定されたモータステータ温度を示す信号は、モータドライバ４に送られる。また、モータドライバ４は、エンジンＥＣＵ等の上位コントローラ１１により、動作を制御される。
【００２６】
モータドライバ４には、電源部５より、電源が供給される。この電源部５は、オルタネータ（発電機）６及び鉛蓄電池７から構成されている。オルタネータは、この電動アシスト過給機を備えたエンジンにより回転されて、発電する。鉛蓄電池７は、オルタネータ６に並列に接続されており、電力消費量がオルタネータ６の発電電力より小さい場合には、オルタネータ６が発電する電力を蓄電し、電力消費量がオルタネータ６の発電電力より大きい場合には、放電して電力供給源となる。
【００２７】
また、電源部５には、負荷９が並列に接続されている。この負荷９は、エアコンやライト等である。
【００２８】
そして、電源部５には、電動コンプレッサの制御回路を構成する電力バッファ８が並列に接続されている。この電力バッファ８としては、急速充放電が可能なデバイスであることが望ましく、コンデンサ（キャパシタ）や、Ｌｉイオン電池などを用いることができる。この電力バッファは、モータドライバ４の直近に配置することが望ましい。
【００２９】
なお、電力バッファと、電源部５及び負荷９との間には、リレー１０を設置しておくとよい。このリレー１０は、運転中には閉成（オン）としておき、エンジン停止時に開放（オフ）とする。すなわち、メンテナンスや、短絡故障時において、回路を遮断するために用いる。
【００３０】
また、電動アシスト過給機は、回生時には、排気ＡＰＵ（排気タービン発電機）として用いられる。すなわち、回生時には、モータ３が発電機として使用される。この電動アシスト過給機の回生容量は、例えば、５００Ｗ程度である。この排気ＡＰＵの回生時の発電電圧は、オルタネータ６の発電電圧よりも高くなっている。例えば、オルタネータ６の発電電圧がＤＣ１４．５Ｖである場合には、排気ＡＰＵの回生時の発電電圧は、ＤＣ１５Ｖ程度となっている。
【００３１】
また、オルタネータ６の駆動プーリには、クラッチが装備されている。この車両用エンジンにおいて、オルタネータ６による発電が不要な場合には、モータドライバ４は、クラッチを切り離す制御を行う。
【００３２】
図２は、本発明に係る車両用エンジンの制御回路の構成を示すブロック図である。
【００３３】
この車両用エンジンにおいて、モータドライバ４は、図２に示すように、セレクタ回路１２を有している。この電動アシスト過給機の力行時において、セレクタ回路１２には、上位コントローラ１１より、トルク指令値が入力される。また、セレクタ回路１２には、ターボ回転数を示す値（内部演算値）が、マップテーブル１を介して、入力される。マップテーブルについては後述する。
【００３４】
さらに、上位コントローラ１１は、許容消費電力を算出し、モータドライバ４にリミッタ値（電動コンプレッサ１が消費しても良い電力（許容電力消費量；allowable power consumption））として指令する。すなわち、セレクタ回路１２には、上位コントローラ１１よりの消費電力のリミット値からドライバ入力電力値（計算値）を引いた差信号が入力される。
【００３５】
さらに、上位コンローラからの指令値としては、許容電力消費量に加え、モータトルク、または、モータ電流、若しくは、ターボ回転数を与えるようにしてもよい。モータドライバ４は、許容電力消費量の範囲内で、モータトルク、または、モータ電流、若しくは、ターボ回転数を制御して、電動コンプレッサ１の消費電力を抑える。また、モータドライバ４は、車内電源系統の電圧に従い、電動コンプレッサ１の消費電力を抑える動作を行う。
【００３６】
また、セレクタ回路１２には、温度センサより、モータステータの温度を示す値が、マップテーブル３を介して、入力される。また、温度センサより、モータドライバ主回路の温度を示す値が、マップテーブル５を介して、入力される。さらに、温度センサより、モータドライバ制御回路の温度を示す値が、マップテーブル６を介して、入力される。また、電圧センサより、電源電圧を示す値が、マップテーブル９を介して、入力される。
【００３７】
セレクタ回路１２は、入力された各値より、最も小さい値を選択して、力行時にモータに供給する電流指令値として、出力する。この電流指令値は、制御上の指令値である。
【００３８】
図３は、力行時に用いるマップテーブルを示すグラフである。
【００３９】
マップテーブルは、各温度センサ及び電圧センサ毎に設定されている。このマップテーブルは、図３に示すように、測定された電源電圧に対応する出力制限値を示すものであって、所定の出力制限開始電圧以下においては、モータ電流を絞るようになっている。
【００４０】
このようなマップテーブルは、温度をセンサ及び電圧センサ毎に設定しておき、測定された温度及び電源電圧によりそれぞれ出力上限を計算し、このうちで最も小さい出力上限をセレクタ回路１２によって選択して、モータの制御に用いる。
【００４１】
このようにして、モータドライバ４が許容電力消費量を超えない範囲で、モータ３を制御し、消費電力に制限を加えたうえで電動コンプレッサを動作させることにより、負荷９（ライト、エアコン等）及びモータ３の消費電力量が、車内電源系統の供給能力（オルタネータ６、鉛蓄電池７及び電力バッファ８）を上回ることがなくなり、電源系統の不安定化を回避できる。
【００４２】
また、上位コントローラ１１の演算ミスなどにより許容電力消費量が多めに見積もられ、その結果、負荷９及びモータ３の消費電力が、車内電源系統の供給電力を上回ってしまった場合には、車内電源系統の電圧低下が発生するが、モータドライバ４が車内電源系統の電圧をモニタし、電圧が低下した場合には、モータドライバ４がその電圧に応じて消費電力を抑えるようにモータ３を制御することにより、電動コンプレッサの動作を抑制しつつも、消費電力を抑えることによって電圧低下を食い止める。この動作により、電動コンプレッサの効果を生みつつ、車内電源系統の不安定化を防ぐことができる。
【００４３】
この車両用エンジンにおいて、回生が行われる状態（車両が巡航する状態や、減速する状態）において、排気ＡＰＵの発電量が負荷９の消費電力よりも大きい場合には、オルタネータ６による発電を行わないようにし、排気ＡＰＵのみにより電源供給を行う。
【００４４】
このとき、オルタネータ６のクラッチを切り離すことにより、オルタネータロータの回転に使われるエネルギー分のエンジン軸出力の目減りもなくし、ＳＦＣの改善を図る。
【００４５】
負荷９の消費電力が増大し、排気ＡＰＵによる発電量だけでは賄えなくなった場合には、排気ＡＰＵの出力電圧が低下する。そして、排気ＡＰＵの出力電圧がオルタネータ６の発電電圧まで低下すたならば、オルタネータ６のクラッチを繋ぎ、オルタネータ６による発電を開始する。このとき、オルタネータ６は、排気ＡＰＵだけでは賄えなかった電力分を発電する。この場合でも、オルタネータ６のみにより発電する場合よりも、ＳＦＣの改善が図られている。
【００４６】
この車両用エンジンにおいては、オルタネータ６と排気ＡＰＵのいずれを使用するかは、「ＳＦＣ悪化の大小」を比較して、悪化の小さい方を使うように制御する。
【００４７】
車が加速するなど、電動アシスト過給機がモータとして作動する場合には、初期の短時間には電力バッファ８から電力が供給され、長時間の場合には、オルタネータ６及び鉛蓄電池７から電力が供給される。加速時にはＳＦＣは悪化するが、加速、巡航、減速というサイクルを通してみると、トータルでのＳＦＣは改善されている。
【００４８】
なお、本発明に係る車両用エンジンにおいては、電動アシスト過給機とは別に、さらに排気タービン発電機（排気ＡＰＵ）を追加して配置してもよい。このように、排気ＡＰＵを別個に配置した場合には、前述した排気ＡＰＵに関する条件及び制御は、電動アシスト過給機及び別個に配置した排気ＡＰＵを合計した発電装置に適用する。
【００４９】
また、このように、排気ＡＰＵを別個に配置した場合には、電動アシスト過給機は、モータ３を備えない通常の過給機に代えてもよい。この場合には、前述した排気ＡＰＵに関する条件及び制御は、別個に配置した排気ＡＰＵについて適用する。なお、この場合には、モータ３が存在しないので、電力バッファ８は不要である。
【００５０】
さらに、車両用エンジンにおいては、過給機を設けずに、排気タービン発電機（排気ＡＰＵ）のみを配置して構成することもできる。この場合にも、前述した排気ＡＰＵに関する条件及び制御は、単独で配置された排気ＡＰＵについて適用する。この場合にも、モータ３が存在しないので、電力バッファ８は不要である。
【００５１】
なお、本発明は、図１に示した構成の電動アシスト過給機（ＥＡＴ）に限定されず、例えば、図４に示すように、電動ブースターを用いて構成された過給機にも適用可能である。図４に示す過給機は、吸気流路１４に配置されたコンプレッサ１の上流側に、吸気量調整手段として電動ブースター１３を配置したものである。この過給機においては、図１に示したモータ３によりコンプレッサ１をアシストすることなく、通常のコンプレッサ１を用いている。なお、コンプレッサ１としては、冗長的にモータによりアシストされるものを用いてもよい。電動ブースター１３は、吸気流路１４に配置されたコンプレッサ１３ｃと、コンプレッサ１３ｃに接続されたモータ３とから構成される。モータ３は、エンジンＥＣＵ等の上位コントローラ１１に接続されており、駆動、停止及び回転数の制御をなされる。
【００５２】
この過給機においては、電動ブースター１３により、排気流路１５に配置されたタービン２を流れる排気ガスの流量に依存することなく、圧縮空気の流量を増大させることができる。また、電動ブースター１３を駆動させると、吸気される圧縮空気により、過給機のコンプレッサ１を強制的に駆動させることができ、連動してタービン２も強制的に駆動させることができる。
【００５３】
この過給機においては、前述した電動アシスト過給機（ＥＡＴ）におけると同様に、モータ３の駆動、制御を行うことにより、コンプレッサ１の動作を抑制しつつも、消費電力を抑えることによって電圧低下を食い止め、電動コンプレッサの効果を生みつつ、車内電源系統の不安定化を防ぐことができる。
【００５４】
また、本発明は、図５に示すように、吸気流路１４に配置されたコンプレッサ１と、排気流路１５に配置されたタービン２とを分離し、コンプレッサ１にモータ３を接続し、タービン２に発電機１６を接続して構成された過給機にも適用可能である。図５に示す過給機において、発電機１６及びモータ３は、蓄電池１７に接続されている。発電機１６で発生した電気は、蓄電池１７により貯蓄される。蓄電池１７に貯蓄された電気は、モータ３に供給される。この過給機においては、タービン２を流れる排気ガスの流量に依存することなく、モータ３によりコンプレッサ１を駆動して、圧縮空気の流量を増大させることができる。モータ３は、エンジンＥＣＵ等の上位コントローラ１１に接続されており、駆動、停止及び回転数の制御をなされる。この過給機は、コンプレッサ１とタービン２とを分離したことにより、機器レイアウト上の制約が少なく、汎用性に優れている。
【００５５】
この過給機においては、前述した電動アシスト過給機（ＥＡＴ）におけると同様に、モータ３の駆動、制御を行うことにより、コンプレッサ１の動作を抑制しつつも、消費電力を抑えることによって電圧低下を食い止め、電動コンプレッサの効果を生みつつ、車内電源系統の不安定化を防ぐことができる。
【産業上の利用可能性】
【００５６】
本発明は、電動アシスト過給機を備えた車両用エンジン、及び、車両用エンジンにおいて自動車用ＡＰＵ（Auxiliary Power Unit；補助電源装置）として用いて好適な排気タービン発電機に適用される。
【符号の説明】
【００５７】
１  電動コンプレッサ
２  タービン
３  モータ
４  モータドライバ
５  電源部
６  オルタネータ
７  鉛蓄電池
８  電力バッファ
【図１】
2012219710.tif 000003
【図２】
2012219710.tif 000004
【図３】
2012219710.tif 000005
【図４】
2012219710.tif 000006
【図５】
2012219710.tif 000007